(57)【要約】【課題】屋外に設置される表示装置において、表示パネル前面の清掃を容易にする。【解決手段】    液晶表示パネル１０と、パネル１０の前面に配置される前面ガラス２６と、パネル１０を収容する筐体２０と、前面ガラス２６を収容する前カバー２２と、パネル１０とガラス２６の空間に送風を行う吸気用ファン３１を備え、前カバー２２が筐体２０に対し回動可能に固定される。筐体２０の第１フレーム２１の上面の前方先端部には半球の溝形状の受け部２１１が設けられている。一方、前カバー２２の上側の背面側先端部分には球状の突起部２２１が設けられる。突起部２２１は、受け部２１１に勘合しており、この突起部２２１を回転軸として、前カバー２２は回動する。【選択図】図１３
2013218185.tif 000002
【特許請求の範囲】
【請求項１】
表示パネルと、
表示パネルの前面に配置される透明保護部材と、
表示パネルを収容する筐体と、
透明保護部材を収容する収容部材と、
表示パネルと、透明保護部材の間の空間に送風を行うファン部材を備え、
収容部材が、筐体に対し回動可能に固定される、表示装置。
【発明の詳細な説明】
【技術分野】
【０００１】
本発明は、屋外等に設置される表示装置に関する。
【背景技術】
【０００２】
屋外に配置される表示装置では、気温の上昇や直射日光の照射により液晶表示パネルの温度が上昇し、誤動作が生じる恐れがある。これに対応すべく、ファンを用いて液晶表示パネルと、前面ガラスの間の空間に送風を行う表示装置が特許文献１に開示されている。
【先行技術文献】
【特許文献】
【０００３】
【特許文献１】特開２０１１−１２８４３２号公報
【発明の概要】
【発明が解決しようとする課題】
【０００４】
しかし、特許文献１に記載の表示装置では、ファンで送風を行うことにより、液晶表示パネルの表示面に埃がたまる。そこで、定期的に表示面の清掃を行う必要がある。従来、前面ガラスはエスカッションに固定されており、エスカッションは筐体に対してネジ止めされていた。従い、清掃時にはエスカッションを取り外すために、ネジを取り外す必要があるが、その際エスカッションが脱落することを防止するため、ネジを取り外す際、表示装置を寝かせて作業する必要があり、清掃作業が面倒であった。具体的には、表示装置を寝かせるべく、作業台へ表示装置を運搬する必要があり、更に防水／防塵対策を施した屋外対応の表示装置の場合、表示装置の重量が大きいため、運搬作業自体も、複数の作業員を必要とする等、煩雑であった。
【０００５】
本発明は、上記の問題を解決することを目的とする。
【課題を解決するための手段】
【０００６】
本発明の表示装置は、表示パネルと、表示パネルの前面に配置される透明保護部材と、表示パネルを収容する筐体と、透明保護部材を収容する収容部材と、表示パネルと、透明保護部材の間の空間に送風を行うファン部材を備え、収容部材が、筐体に対し回動可能に固定される。
【発明の効果】
【０００７】
表示装置の表示パネル前面の清掃作業が容易となる。
【図面の簡単な説明】
【０００８】
【図１】表示装置１の前面斜視図である。
【図２】表示装置１を背面斜視図である。
【図３】表示装置１を背面側から見た分解斜視図である。
【図４】図２に示すＡ−Ａ線を含む平面で破断した矢視断面図である。
【図５】表示装置１の背面斜視図であり、吸気側蓋体と排気側蓋体が開いた状態を示す。
【図６】吸気側蓋体の正面図である。
【図７】吸気側蓋体の側面図である。
【図８】吸気側蓋体の下面図である。
【図９】吸気側蓋体の背面図である。
【図１０】図６に示すＢ−Ｂ線を含む平面で破断した矢視断面図である。
【図１１】吸気側防塵フィルタの分解斜視図である。
【図１２】表示装置１が縦置き状態で使用される場合の、表示装置１の背面図である。
【図１３】図２に示すＢ−Ｂ線を含む平面で破断したと仮定した場合において、表示装置１を側面から見た場合の図であり、前カバー２２が開いた状態を示す。
【図１４】図１３の拡大図である。
【図１５】図２に示すＢ−Ｂ線を含む平面で破断したと仮定した場合において、表示装置１を側面から見た場合の図であり、前カバー２２が閉じた状態を示す。
【図１６】図１５の拡大図である。
【図１７】表示装置１を前面側から見た分解斜視図である。
【図１８】図１７の拡大図である。
【発明を実施するための形態】
【０００９】
以下、本発明の実施例である表示装置について、図面を参照して具体的に説明する。
【００１０】
図１は、本発明の一実施例である表示装置１を前面側から見た斜視図であり、図２は、背面側から見た斜視図であり、図３は、背面側から見た分解斜視図であり、図４は、図２に示すＡ−Ａ線を含む水平面で表示装置を破断した矢視断面図である。
【００１１】
表示装置１は、映像を表示する液晶表示パネル１０(図３及び図４参照)と、該液晶表示パネル１０を内部に収納する筐体２０とを備えている。液晶表示パネル１０は、偏光フィルタ、カラーフィルタ、液晶層、アレイ基板、導光板や光源等を備えている。液晶表示パネル１０の後側には、液晶層を制御する回路基板１１が設置されている(図３及び図４参
照)。なお、液晶表示パネル１０に代えて、プラズマ表示パネルや有機ＥＬ費パネル等、
他の表示パネルが使用されてもよい。
【００１２】
筐体２０は、略矩形の厚板状の外形を有しており、液晶表示パネル１０が内側に装着される略ロ字状の第１フレーム２１と、液晶表示パネル１０の前面(表示面)を覆うように第１フレーム２１に取り付けられる前カバー（エスカッション）２２と、液晶表示パネル１０の背面を覆うように第１フレーム２１に取り付けられる後カバー２３とを含んでいる。前カバー２２は、第１フレーム２１に嵌められてネジ止め固定される略ロ字状の第２フレーム２４を備えている。第２フレーム２４の前側端部には、帯状の突縁２５が内向きに形成されている。突縁２５の背面には第２フレーム２４の開口を塞ぐように略矩形の前面ガラス２６が取り付けられている。前面ガラス２６は、液晶表示パネル１０を保護するために設けられている。前カバー２２は、第１フレーム２１に対し回動可能に固定される。即ち第１フレーム２１の上端付近に設けられた半球の溝形状である受け部２１１（図１参照）を回転軸として、前カバー２２は回動可能となっている。これにより、前カバー２２は開閉可能となり、前カバー２２を開いた状態にすることで液晶表示パネル１０の前面を清掃することができる。なお、この固定構造の詳細に関しては図１３〜１８を参照して後で述べる。
【００１３】
後カバー２３は、略矩形の板材であり、その短手側両端部には略矩形の開口２７ａ、２７ｂが形成されており(図３参照)、その略中央には、表示装置１の後方に突出する掛止用部材２８が取り付けられている。実施例の掛止用部材２８には、後カバー２３に対向するように４つの開口が形成されており、これら開口の各々には、例えば、支柱や建物の外壁に(水平方向に向けて)突設された支持部材に設けられた係止部が挿入される。後カバー２３の４隅には、表示装置１の運搬に使用されるハンドル２９が夫々設けられている。
【００１４】
後カバー２３には、筐体２０内に外気を導入する吸気部(吸気ユニット)３０と、筐体２０内の空気を表示装置１の外に排出する排気部(排気ユニット)５０とが取り付けられる。
吸気部３０は、筐体２０内に空気を引き込む３つの吸気用ファン３１ａ、ｂ、ｃ（以下、単に吸気用ファン３１と記載する場合がある、図３参照)、吸気用ファン３１に吸い込ま
れる空気を除塵する吸気側フィルタアセンブリ３２と、吸気用ファン３１及び吸気側フィルタアセンブリ３２が取り付けられる枠体３３とを備えている。本実施例では、吸気用ファン３１として、軸流ファンが使用されている。３つの吸気用ファン３１は、枠体３３の長手方向又は後カバー２３の短手方向に沿って一例に並んで、枠体３３内に配置される。枠体３３は、ロ字状に閉じた周壁を有しており、該周壁にはネジ止め用の孔が開設された鍔３４が環状に形成されている。枠体３３の端部を後カバー２３の(左側)開口２７ａに挿入し、後カバー２３に鍔３４をネジ止めすることで、吸気部３０は後カバー２３に固定される。
【００１５】
吸気側フィルタアセンブリ３２は、略矩形の外形を有する２つの吸気側防塵フィルタ３５ａ、ｂ（以下、単に(吸気側防塵フィルタ３５と記載する場合がある)と、これらフィルタ３５が取り付けられる支持部材３６とを備えている。支持部材３６は、細長い略矩形の板であり、吸気側防塵フィルタ３５は、支持部材３６の長手方向に沿って一列に支持部材３６に固定される。
【００１６】
図１１は、吸気側防塵フィルタ３５の分解斜視図である。吸気側防塵フィルタ３５の各々は、２つのケース半体４１、４２を組み合わせて構成される収容ケース４３を備えている。収容ケース４３内には、メッシュ４４と、集塵機能を有するフィルタ素材４５とが重ね合わせた状態で収容される。メッシュ４４は外気側に、フィルタ素材４５は筐体２０側に配置される。メッシュ４４側のケース半体４１には、メッシュ４４及びフィルタ素材４５に送られる空気が通る２つの矩形開口４６が形成されており、フィルタ素材４５側のケース半体４２には、メッシュ４４及びフィルタ素材４５で除塵された空気が通る２つの矩形開口４７が形成されている。
【００１７】
吸気部３０の枠体３３の壁部の外面には窪み３７が形成されており、該窪み３７の底面には、吸気側防塵フィルタ３５の各々に対応したスロット３８ａ、ｂが開設されている(
図３参照)。枠体３３の側方より、吸気側防塵フィルタ３５がスロット３８ａ、ｂに挿入
されて、吸気側防塵フィルタ３５が枠体３３内に配置される。窪み３７に嵌め込まれた状態で支持部材３６が枠体３３にネジ止めされることで、吸気側フィルタアセンブリ３２は枠体３３に固定される。本発明において、吸気側フィルタアセンブリ３２又は吸気部３０が有する吸気側防塵フィルタ３５の数は限定されない。
【００１８】
排気部５０の構成は、吸気部３０の構成と類似しており、筐体２０内の空気を表示装置１の外部に送り出すための３つの排気用ファン５１ａ、ｂ、ｃ(以下、単に排気用ファン
５１と記載する場合がある、図３参照)と、これら３つの排気用ファン５１の吐出側に配
置される排気側フィルタアセンブリ５２と、排気用ファン５１及び排気側フィルタアセンブリ５２が取り付けられる枠体５３とを備えている。３つの排気用ファン５１は、枠体５３の長手方向又は後カバー２３の短手方向に沿って一例に並べて枠体５３内に配置される。本実施例では、排気用ファン５１として、軸流ファンが使用されている。枠体５３は、ロ字状に閉じた周壁を有しており、該周壁にはネジ止め用の孔が開設された鍔５４が環状に形成されている。枠体５３の端部を後カバー２３の(右側)開口２７ｂに挿入し、後カバー２３に鍔５４をネジ止めすることで、排気部５０は後カバー２３に固定される。
【００１９】
排気側フィルタアセンブリ５２は、吸気側フィルタアセンブリ３２と同様な構成を有しており、略矩形の外形を有する２つの排気側防塵フィルタ５５ａ、ｂ（以下、単に排気側防塵フィルタ５５と記載する場合がある）と、これらフィルタ５５が取り付けられる支持部材５６とを備えている(図５も参照のこと)。排気側防塵フィルタ５５は、細長い略矩形の板である支持部材５６の長手方向に沿って一列に並べて、支持部材５６に固定される。
排気部５０の枠体５３の壁部の外面には窪み５７が形成され、該窪み５７の底面には２つのスロッ(図示せず)が開設されている。排気側フィルタアセンブリ５２は、吸気側フィルタアセンブリ３２と同様にして枠体５３に取り付けられる。本発明において、排気側フィルタアセンブリ５２又は排気部５０が有する排気側防塵フィルタ５５の数は限定されない。
【００２０】
吸気用ファン３１ａ、ｂ、ｃ及び排気用ファン５１が停止した場合、表示装置１の外部から筐体２０内に排気部５０を介して空気が流れ込む事態が起こり得る。排気側防塵フィルタ５５は、このような場合に、筐体２０内に入り込む空気を除塵するために設けられている。吸気側防塵フィルタ３５よりも高い除塵性能を必要としないことから、排気側防塵フィルタ５５は、フィルタ素材を有してない点を除いて吸気側防塵フィルタ３５と同様な構成を有しているのが好ましい。
【００２１】
図３及び図４に示すように、第１フレーム２１の短手側両端には、液晶表示パネル１０を挟むように吸気側ガイド部材１３と排気側ガイド部材１６が取り付けられている。ガイド部材１３、１６は、液晶表示パネル１０などと協動して、吸気部３０から排気部５０に至る筐体２０内の空気の流れを規定する。ガイド部材１３、１６における表示装置１の後側に位置する面部は、後カバー２３の矩形開口２７ａ、ｂに挿入された吸気部３０及び排気部５０の端部と当接する。吸気側ガイド部材１３の面部には、３つの吸気用ファン３１ａ、ｂ、ｃに夫々対応した３つの通気孔１４ａ、ｂ、ｃが開設されており、排気側ガイド部材１６の面部には、３つの排気用ファン５１ａ、ｂ、ｃに夫々対応した３つの通気孔１７ａ、ｂ、ｃが開設されている。筐体２０内の空気の流れについては後述する。
【００２２】
吸気部３０の枠体３３には、筐体２０内の空間と連通する吸気部３０の(枠体３３の)後側開口３９を塞ぐ吸気側蓋体６０が、３つのヒンジ６１(図２及び図１２を参照)を介して開閉自在に取り付けられている。また、排気部５０の枠体５３には、筐体２０内の空間と連通する排気部５０の(枠体５３の)後側開口５９を塞ぐ排気側蓋体８０が、３つのヒンジ８１(図１２を参照)を介して開閉自在に取り付けられている。
【００２３】
図５は、表示装置１を背面側から見た斜視図であり、吸気側蓋体６０と排気側蓋体８０とが開けられている状態を示す。吸気側蓋体６０と吸気側蓋体６０は、表示装置１の中央に向かって回転して開くので、表示装置１が設置された状態でも、作業者は容易に吸気側蓋体６０又は吸気側蓋体６０を閉状態から開状態にして、吸気側防塵フィルタ３５と排気側防塵フィルタ５５の点検や清掃等を行うことが可能である。なお、先に述べたように、表示装置１の掛止用部材２８は、建物の外壁や支柱に水平に突設された支持部材を介して壁や支柱に取り付けられることから、壁や支柱と表示装置１の間には、吸気側蓋体６０と吸気側蓋体６０が開いて、後カバー２３に対して略垂直に配置できる十分な空間が確保されている。
【００２４】
吸気部３０の枠体３３と吸気側蓋体６０には、閉状態で吸気側蓋体６０をロックする２つのロック機構１１１が設けられている。ロック機構１１１としては、例えば、吸気側蓋体６０に設けられた環状の止め金と、吸気部３０の枠体３３とに設けられて、当該止め金が係止される舌片とが使用されてよい。図２に示すように、ロック機構１１１は、枠体３３と吸気側蓋体６０の上側と下側に設けられている。排気側蓋体８０と排気部５０の枠体５３とにも、同様なロック機構１１２が上側と下側に設けられている。
【００２５】
図６乃至図９は夫々、吸気側蓋体６０の正面図、側面図、下面図及び背面図である。図１０は、図６に示すＢ−Ｂ線を含む平面で吸気側蓋体６０を破断した矢視断面図である。吸気側蓋体６０は中空の矩形箱状に形成されており、その表側の主面部６２には、複数の通気口、つまり吸気口６３が形成されている。表示装置１の外部のゴミなどの異物や水は
、一旦、吸気側蓋体６０の内部空間に入り込まないと吸気部３０、さらには、筐体２０内に至ることできないので、吸気部３０から筐体内への異物の侵入や水の浸入が抑制される。本実施例では、５行４列に配置された２０個の吸気口６３が、吸気側蓋体６０に形成されている。各吸気口６３は、吸気側蓋体６０の主面部６２にその長手方向に沿って開設された長孔であり、各吸気口６３には、吸気側蓋体６０内へのゴミなど異物や水の侵入を抑制するフード６４が設けられている。フード６４は、当該吸気口６３を覆うように、外向きに突出するように主面部６２に形成されている。フード６４の開放端面は、主面部６２に略垂直にされている。
【００２６】
図６において、左から２列目にある５つの吸気口６３のフード６４は、右側に、つまり、それら吸気口６３に併設された右から２列目にある５つの吸気口６３側に開放している。これにより、左から２列目にある吸気口６３に向かって右側からやってくる水やゴミに対して、当該吸気口６３に併設された右から２列目にある吸気口６３のフード６４が障害となることで、左から２列目にある吸気口６３から吸気側蓋体６０内に異物や水が入り込むことが抑制又は防止される。
【００２７】
右から２列目にある５つの吸気口６３のフード６４は、左側に、左から２列目にある５つの吸気口６３側に開放している。これにより、右から２列目にある吸気口６３に向かって左側からやってくる水やゴミに対して、当該吸気口６３に併設された左から２列目にある吸気口６３のフード６４が障害となることで、右から２列目にある吸気口６３から吸気側蓋体６０内に異物や水が入り込むことが抑制又は防止される。
【００２８】
左から１列目にある５つの吸気口６３は、右から２列目にある５つの吸気口６３の反対側にて、左から２列目にある５つの吸気口６３に併設されており、左から１列目にある５つの吸気口６３のフード６４は、右側に、つまり、右から２列目にある５つの吸気口６３側に開放している。これにより、左から１列目にある吸気口６３に向かって右側からやってくる水やゴミに対して、当該吸気口６３に併設された左から２列目にある吸気口６３のフード６４が障害となることで、左から１列目にある吸気口６３から吸気側蓋体６０内に異物や水が入り込むことが抑制又は防止される。
【００２９】
右から１列目にある５つの吸気口６３は、左から２列目にある５つの吸気口６３の反対側にて、右から２列目にある５つの吸気口６３に併設されており、右から１列目にある５つの吸気口６３のフード６４は、左側に、つまり、左から２列目にある５つの吸気口６３側に開放している。これにより、右から１列目にある吸気口６３に向かって左側からやってくる水やゴミに対して、当該吸気口６３に併設された右から２列目にある吸気口６３のフード６４が障害となることで、右から１列目にある吸気口６３から吸気側蓋体６０内に水やゴミが入り込むことが抑制又は防止される。
【００３０】
本実施例では、例えば、吸気側蓋体６０の表側主面部６２に対して垂直な方向から左又は右に若干ずれた向きで吸気側蓋体６０に飛散する水(雨滴)については、吸気口６３を通って吸気側蓋体６０に入り込む。しかしながら、吸気口６３及びフード６４が上記のように構成されているので、このように飛散する水は、右２列の吸気口６３又は左２列の吸気口６３については、フード６４が機能することで遮断される。なお、吸気側蓋体６０は、吸気側蓋体６０内に入り込んだ水が吸気部３０に至らないように構成されているが、この点については後述する。
【００３１】
図９に示すように、吸気側蓋体６０の裏側主面部６５には、吸気側防塵フィルタ３５ａ、ｂに夫々対応した略矩形の２つの開口６６ａ、ｂが主面部６５の長手方向に沿って一列に形成されており、吸気口６３から流れ込んだ空気は、これら開口６６を通って吸気部３０に送られる。裏側主面部６５には、各開口６６について、その開口を囲む第１シール部
材６７ａ、ｂが固定されている。第１シール部材６７ａ、ｂは、開口６６ａ、ｂの縁に沿ってロ字状に配置されており、例えば接着剤を用いて裏側主面部６５に接着されている。第１シール部材６７には、例えばゴム製のパッキンが使用される。
【００３２】
各第１シール部材６７は、吸気側防塵フィルタ３５の各々に対応しており、吸気側蓋体６０が閉状態にあると、上側の第１シール部材６７ａは、上側の吸気側防塵フィルタ３５ａの収容ケース４３の縁部に圧接され、下側の第１シール部材６７ｂは、下側の吸気側防塵フィルタ３５ｂの収容ケース４３の縁部に圧接される。これにより、吸気側蓋体６０と各第１シール部材６７ａ、ｂの収容ケース４３の間が気密にシールされて、吸気側蓋体６０の吸気口６３から導入された空気は、開口６６を通ってスムースに吸気側防塵フィルタ３５に送られる。第１シール部材６７は、吸気側防塵フィルタ３５の収容ケース４３に設けられてもよい。なお、開口６６と第１シール部材６７数は、吸気側防塵フィルタ３５の数に応じて変化する。
【００３３】
図４及び図５に示すように、吸気部３０の枠体３３の後側端部には、枠体３３の開口３９を囲うロ字状の第２シール部材１０１が固定されている。第２シール部材１０１には、例えばゴム製のパッキンが使用されており、接着剤を用いて吸気部３０の枠体３３の端部に接着されている。吸気側蓋体６０が閉状態にあると、第２シール部材１０１は、２つの第１シール部材６７を囲むように吸気側蓋体６０の裏側主面部６５に圧接される。これによって、吸気部３０と吸気側蓋体６０とが水密にシールされて、吸気部３０の枠体３３と吸気側蓋体６０の間の隙間を通って水が入り込む事態が防止又は抑制される。第２シール部材１０１は、吸気側蓋体６０に設けられてもよい。
【００３４】
吸気側蓋体６０の表側主面部６２では、吸気側蓋体６０内への水の浸入を抑制するフード６４が吸気口６３に設けられているが、上述したように、また、例えば、表示装置１が暴風雨に曝された場合には、吸気口６３から吸気側蓋体６０内に水が入り込む事態が起こり得る。吸気側蓋体６０の表側主面部６２の内面には邪魔板７０が取り付けられており、吸気口６３から入り込んだ水が、吸気側蓋体６０の裏側主面部６５の開口６６に向かって移動若しくは飛散するのを防止又は抑制する。図９に示すように、邪魔板７０は、吸気側蓋体６６の裏側主面部６５側から開口６６を正視した場合に、開口６６から吸気口６３が見えないように、吸気側蓋体６０(の表側主面部６２)の長手方向に沿って配置されている。
【００３５】
図１０に示されるように、本実施例では、邪魔板７０として、長手方向に沿って台形状の凸部７１が形成されるように屈曲した帯板が使用されており、凸部７１の頂面は、左から２列目の吸気口６３と右から２列目の吸気口６３(中央２列の吸気口６３)の間に接合されている。これら吸気口６３から入り込んだ水は、邪魔板７０に当たって、又は、邪魔板７０に当たった後に吸気側蓋体６０の内壁に当たって、重力の作用により、吸気側蓋体６０の底面に落ちる。左から１列目の吸気口６３と右から１列目の吸気口６３から入り込んだ水は、吸気側蓋体６０の内壁に当たって、重力の作用により、吸気側蓋体６０の底面に落ちる。
【００３６】
吸気側蓋体６０の底面部には、第１排水口７２となる開口、より具体的には長孔が、吸気側蓋体６０の短手方向に沿って開設されており、吸気側蓋体６０の底面に落ちた水は、下向きに配置された第１排水口７２から外部に排出される(流れ落ちる)。第１排水口７２には、吸気側蓋体６０の底面部からその下方に突出するフード７３が設けられている。該フード７３は、第１排水口７２を覆うように形成されており、吸気部３０又は後カバー２３側に開いている。第１排水口７２は、吸気口としても機能する。フード７３の開放端面は、吸気側蓋体６０の底面に略垂直にされている。
邪魔板７０としては、適当な支持部材に支持されて裏側主面部６５に平行に配置された帯
状の平板が使用されてもよい。
【００３７】
表示装置１の中央側に位置する吸気側蓋体６０の側面部にはヒンジ６１が取り付けられており(図２参照)、当該側面部に対向しており、筐体２０の短手側端部に近接する他方の側面部には、第２排水口７４となる５つの開口が、より具体的には５つの長孔が形成されている。これら第２排水口７４は、当該側面部の長手方向に沿って１列に配置されており、各々の第２排水口７４には、吸気側蓋体６０の側面部から側方に突出するフード７５が設けられている。各フード７５は、第２排水口７４を覆うように形成されており、吸気部３０又は後カバー２３側に開いている。フード７５の開放端面は、吸気側蓋体６０の側面に略垂直にされている。第２排水口７４は、吸気口としても機能する。第２排水口７４の働きについては、後述する。
【００３８】
図２等に示すように、排気側蓋体８０は、吸気側蓋体６０と類似した構成を有している。吸気側蓋体６０と同様に、排気側蓋体８０は中空の矩形箱状に形成されている。表示装置１の外部のゴミなどの異物や水は、一旦、排気側蓋体８０の内部空間に入り込まないと排気部５０、さらには、筐体２０内に至ることができないので、排気部５０から筐体内への異物の侵入や水の浸入が抑制される。排気側蓋体８０の表側主面部８２には、５行４列に配置された２０個の通気口、つまり排気口８３が、排気側蓋体８０に形成されている。各排気口８３は長孔である。各排気口８３には、フード８４が、当該排気口８３を覆い、主面部８２から後方に突出するように設けられている。フード８４の開放端面は、主面部８２に略垂直にされている。図２において左２列の排気口８３のフード８４は、右側に開放しており、右２列の排気口８３のフード８４は、左側に開放している。排気口８３とフード８４がこのように構成されていることで、吸気側蓋体６０の場合と同様に、排気側蓋体８０でも、異物や水の排気側蓋体８０の入り込みが抑制又は防止されている。
【００３９】
図５に示すように、排気側蓋体８０の裏側主面部８５には、略矩形の２つの開口８６ａ、ｂが裏側主面部８５の長手方向に沿って一列に形成されており、排気側蓋体８０の閉状態にて、排気部５０から送られた空気は、各開口８６を通って、排気口８３へと送られる。裏側主面部８５には、各開口８６ａ、ｂについて、その開口を囲む第３シール部材８７ａ、ｂが固定されている。第３シール部材８７は、開口８６の縁に沿ってロ字状に配置されており、例えば接着剤を用いて主面部８５に接着されている。第３シール部材８７には、例えばゴム製のパッキンが使用される。
【００４０】
各第３シール部材８７は、排気側防塵フィルタ５５の各々に対応しており、排気側蓋体８０が閉状態にあると、上側の第３シール部材８７ａは、上側の排気側防塵フィルタ５５ａの収容ケースの縁部に圧接され、下側の第３シール部材８７ｂは、下側の排気側防塵フィルタ５５ｂの収容ケースの縁部に圧接される。これにより、排気側蓋体８０と排気側防塵フィルタ５５の収容ケースが気密にシールされて、排気側防塵フィルタ５５を通った空気が、排気側蓋体８０の開口８６を通ってスムースに排気口８３に送られる。第３シール部８７は、排気側蓋体８０の裏側主面部８５に設けられてもよい。なお、開口８６と第３シール部材８７の数は、排気側防塵フィルタ５５の数に応じて変化する。
【００４１】
排気部５０の枠体５３の後側端部には、枠体５３の後側開口を囲うロ字状の第４シール部材１０２が固定されている。第４シール部材１０２には、例えばゴム製のパッキンが使用されており、接着剤を用いて排気部５０の枠体５３の端部に接着されている。排気側蓋体８０が閉状態にあると、第４シール部材１０２は、２つの第３シール部材８７ａ、ｂを囲むように排気側蓋体８０の裏側主面部８５に圧接される。これによって、排気部５０と排気側蓋体８０とが水密にシールされて、排気部５０の枠体５３と排気側蓋体８０の間の隙間を通って水が筐体２０内に入り込む事態が防止される。第４シール部材１０２は、排気側蓋体８０に設けられてもよい。
【００４２】
排気側蓋体８０の表側主面部８２の内面には、邪魔板９０が取り付けられており、排気口８３から入り込んだ水が、排気側蓋体８０の裏側主面部８５の開口８６に向かって移動又は飛散するのを防止又は抑制する。邪魔板９０は、裏側主面部８５側から開口８６を正視した場合に、開口８６から吸気口８３が見えないように、排気側蓋体８０の長手方向に沿って配置されている。
【００４３】
図４に示すように、吸気側蓋体６０のものと同様な邪魔板９０が、排気側蓋体８０にも使用されており、その凸部の頂面は、左から２列目の排気口８３と右から２列目の排気口８３の間に接合されている。排気口８３から入り込んだ水は、吸気側蓋体６０の場合と同様に、排気側蓋体８０の底面部に落ちる。排気側蓋体８０の底面には、第３排水口９２である開口が、より具体的には長孔が開設されており、排気側蓋体８０の底面部に落ちた水は、下向きに配置された第３排水口９２から外部に排出される。第３排水口９２には、底面部から排気側蓋体８０の下方に突出するフード９３が設けられている。該フード９３は、第３排水口９２を覆うように形成されており、排気部５０又は後カバー２３側に開いている。フード９３の開放端面は、排気側蓋体８０の底面に略垂直にされている。第３排水口９２は、排気口としても機能する。
【００４４】
表示装置１の中央側に位置する排気側蓋体８０の側面部にはヒンジ６１が取り付けられると共に、第４排水口９４となる４つの開口が、より具体的には長孔が形成されている。これら第４排水口９４は、当該側面部の長手方向に沿って１列に配置されており、各々の第４排水口９４には、吸気側蓋体６０の側面部から側方に突出するフード９５が設けられている。各フード９５は、第４排水口９４を覆うように形成されており、排気部５０又は後カバー２３側に開いている。フード９５の開放端面は、排気側蓋体８０の側面に略垂直にされている。第４排水口９４は、排気口としても機能する。
【００４５】
本実施例の表示装置１は、図２に示すような表示装置１の長手方向が水平方向となる横置き状態での使用に加えて、図１２に示すように表示装置１の長手方向が鉛直方向となる縦置き状態でも使用可能である。縦置き状態では、液晶表示パネル１０の冷却に使用されて加熱された空気を効率良く排出するために、吸気部３０が下に、排気部５０が上に位置するように表示装置１は配置される。縦置き状態では、吸気側蓋体６０に入り込んだ水は、第２排水口７４が開設された側面部の内面に落ちて、下向きに配置された第２排水口７４から外部に排出される。また、表示装置１の縦置き状態では、排気側蓋体８０に入り込んだ水は、下向きに配置された第４排水口９４が開設された側面部の内面に落ちて、第４排水口９４から外部に排出される。
【００４６】
本実施例の表示装置１では、横置き状態にて表示装置１の背面側から見て、第２排水口７４は左向きに、つまり、吸気側蓋体６０の左側面部に形成されており、第４排水口７４も左向きに、つまり、排気側蓋体８０の左側面部に形成されている。表示装置１の背面側から見て吸気部３０が表示装置１の右端部に配置され、排気部５０が左端部に配置される場合には、横置き状態にて、表示装置１の背面側から見て、第２排水口７４が右向きに、つまり吸気側蓋体６０の右側面部に形成され、第４排水口７４も右向きに、つまり排気側蓋体８０の右側面部に形成される。これにより、吸気部３０が下に排気部５０が上に配置されるように表示装置１が縦置き状態された場合に、第２排水口７４及び第４排水口７４から水が排出される。
【００４７】
第１排水口７２のフード７３と第２排水口７４のフード７５が、吸気部３０又は後カバー２３側に開いているので、横置き状態にて第２排水口７４から、縦置き状態にて第１排水口７２から、異物や水の吸気側蓋体６０への入り込みが抑制されている。また、第３排水口９２のフード９３と第４排水口９４のフード９５が、排気部５０又は後カバー２３側
に開いているので、横置き状態にて第４排水口９４から、縦置き状態にて第３排水口９２から異物や水の排気側蓋体８０への入り込みが抑制されている。
【００４８】
図４には、吸気部３０の吸気用ファン３１と排気部５０の排気用ファン５１とが駆動している場合における表示装置１内の空気の流れが矢印で示されている。吸気側蓋体６０の吸気口６３、第１排水口７２及び第２排水口７４から流入した空気は、吸気側蓋体６０の内部空間を通って、開口６６から吸気側防塵フィルタ３５に送られる。吸気側防塵フィルタ３５で除塵された空気は、吸気用ファン３１に吸引されて、吸気側ガイド部材１３内の空間に送られる。前カバー２２の前面ガラス２６は、表示パネル１０の前面から離間して配置されており、吸気側ガイド部材１３内に送られた空気は、吸気側ガイド部材１３と液晶表示パネル１０の背面や端面で案内されて、前面ガラス２６と表示パネル１０の前面の間の空間に送られる。当該空間に送られた空気は、液晶表示パネル１０の一端から他端へと移動して、液晶表示パネル１０の前面から熱を吸収し、排気側ガイド部材１６内に至る。排気側ガイド部材１６に入った空気は、排気用ファン５１に吸引される。排気用ファン５１から吐出された空気は、排気側防塵フィルタ５５を通って、排気側蓋体８０の開口８６から排気側蓋体８０内に送られる。排気側蓋体８０に送られた空気は、排気側蓋体８０の排気口８３、第３排水口９２及び第４排水口９４から表示装置１の外部に排出される。
【００４９】
吸気側ガイド部材１３の液晶表示パネル１０の背面に対して垂直に配置される壁面には、表示部材の短手方向に沿って並んだ複数の孔１５が形成されている。また、排気側ガイド部材１６の液晶表示パネル１０の背面に対して垂直に配置される壁面にも、表示装置１の短手方向に沿って並んだ複数の孔１８が形成されている。故に、吸気用ファン３１に吸引されて、吸気側ガイド部材１３内の空間に送られた空気の一部は、吸気側ガイド部材１３の複数の孔１５を通って、液晶表示パネル１０の背面に沿って排気側ガイド部材１６へと流れて、液晶表示パネル１０の背面から熱を吸収する。そして、排気側ガイド部材１６の複数の孔１８を通って排気側ガイド部材１６内に送られて、上述したように、表示装置１の外部に排出される。
【００５０】
上述したように、本実施例の表示装置１では、筐体２０は、第１フレーム２１と、前カバー２２と、後カバー２３とが組み合わされて構成されており、前カバー２２の第２フレーム２４には、前面ガラス２６が取り付けられており、後カバー２３には、吸気部３０及び排気部５０とが取り付けられている。また、吸気側フィルタアセンブリ３２は吸気部３０に、排気側フィルタアセンブリ５２は排気部５０にスライド式に装着されている。表示装置１のこれらの構成要素は、隙間から入った水や塵などが液晶表示パネル１０に至らないような防水及び防塵構造を用いて組み合わされている。
【００５１】
ちなみに、本発明の出願人が本実施例の表示装置１を試作したところ、横置き姿勢だけでなく縦置き姿勢においても、ＩＰ５３を満たすことが確認された。ＩＰの後に続く数字の一桁目は、外来固形物の侵入等に対するものである。「５」の場合、表示装置１の所定動作および安全性を阻害する量の粉塵が筐体２０内に入らない、という基準を満たすことを意味する。数字の二桁目は、液体の進入等に対するものである。「３」の場合、「鉛直から60度以内の噴霧水の水によって有害な影響を受けない」基準を満たすことを意味する。
【００５２】
吸気口６３、排気口８３、第１排水口７２、第２排水口７４、第３排水口９２及び第４排水口９４の数や形状は限定されず、例えば、第１排水口７２や第３排水口９２は、複数形成されてもよい。また、上記実施例において、右又は左１列目の吸気口６３は設けられなくともよい。さらに、上記実施例において、右又は左１列目の吸気口６３の外側に、フード６４が同じように開放した１又は複数列の追加の吸気口６３が設けてられてもよい。排気口８３についても同様である。吸気及び排気性能を維持しつつ、フードで覆って放水
性を高める点からすると、上記実施例のように、長孔の吸気口６３や排気口８３を複数設けて、長孔の長手側に沿ってフードが開放するのが好ましいと考えられる。
【００５３】
表示装置１が縦置き設置されない場合には、第２排水口７４及び第４排水口９４は設けられなくともよい。この場合には、上記実施例に適当な変形を行うことで、吸気側蓋体６０と排気側蓋体８０が閉状態にて後カバー２３に垂直に配置されて、壁又は後カバー２３に向かって回転して開くような構成を採用することもできる。
【００５４】
また、表示装置１の前カバー２２は、第１フレーム２１に対し固定され、かつ第１フレーム２１の上辺近傍を支点として開閉可能な構成となっている。この固定構造の詳細に関して、図１３〜１８を参照して説明する。
【００５５】
図１３は、図２に示すＢ−Ｂ線を含む平面で破断したと仮定した場合において、表示装置１を側面から見た場合の図であり、前カバー２２が開いた状態を示すものである。図１４は、図１３における前カバー２２と第１フレーム２１の接合部分を拡大した図である。これらの図に示すように、前カバー２２には、前面ガラス２６が収容されており、第１フレーム２１には液晶表示パネル１０を収容される。第１フレーム２１の上面の前方先端部には半球の溝形状の受け部２１１が設けられている。一方、前カバー２２の上側の背面側先端部分には球状の突起部２２１が設けられる。突起部２２１は、受け部２１１に勘合しており、この突起部２２１を回転軸として、前カバー２２は回動する。これにより、前カバー２２は開閉可能となり、前カバー２２を開いた状態にすることで液晶表示パネル１０の前面を清掃することができる。
【００５６】
図１４を参照して前面ガラス２６の固定構造を説明する。前面ガラス２６は、その前面側に設けられた前カバーの突縁２５と、及び前面ガラス２６の背面側に設けられたガラスホルダー２２４とが、ガスケット２２３ａ〜ｃを介して挟み込むことにより、前カバー２２に固定される。なお、図１４では、あたかも第２フレーム２４が前面ガラス２６を挟み込むかのごとく描画されているが、同図で表示されている第２フレーム２４は側面部分のものであって、画面の中央部分で第２フレーム２４が前面ガラス２６を挟み込んでいる訳ではない。また、四角空洞部２２２ａ、２２２ｂは、第２フレーム２４同士を連結するためのＬ字型の連結金具を連通させるためのものである。即ち、第２フレーム２４は、実際には液晶パネル１０の上、右、下、左で４つの部分に分離されており、分離された各第２フレーム２４は上記連結金具により接合される構成となっているのである。
【００５７】
図１５は、図２に示すＢ−Ｂ線を含む平面で破断したと仮定した場合において、表示装置１を側面から見た場合の図であり、かつ前カバー２２が閉じた状態を示すものである。図１６は、図１５における前カバー２２と第１フレーム２１の接合部分を拡大した図である。前カバー２２が閉じた状態では、ガラスホルダー２２４が、液晶表示パネル１０の上面に設けられた金具２５１の前面側の第１面２５１ａに当接する。これにより、前面ガラス２６と液晶表示パネル１０の間に準密閉の空間２０２（図４も参照）が形成される。この空間内には、吸気用ファン３１ａ〜ｃにより送風された空気が流れ、これにより液晶表示パネル１０前面側の冷却が行われる。また、金具２５１の第２面２５１ｂは、空間２０２の上面を形成する。金具２５１の第３面２５１ｃは液晶表示パネル１０の前面に当接し、液晶表示パネル１０の前面側を支える。そして、金具２５１の第４面２５１ｄは液晶表示パネル１０の上面に当接する。第４面２５１ｄには、ネジ２５２を貫通するための貫通孔が設けられており、ネジ２５２でネジ止めすることにより、金具２５１が液晶表示パネル１０の上面に固定されることとなる。
【００５８】
また、前カバー２２の上側背面部分には突片２２５が設けられ、この突片２２５の上側の空間２２６にはガスケットが勘合される。この空間２２６は、実際には液晶表示パネル
１０の周辺を一周する態様で形成され、ガスケットは、液晶表示パネル１０を囲うように配備される。これにより、液晶表示パネル１０への浸水を防ぐことが出来る。
【００５９】
なお、第２フレーム２４と同様、第１フレーム２１も実際には液晶表示パネル１０の上、右、下、左で４つの部分に分離されており、分離された各第１フレーム２１はＬ字型の連結金具により接合される。空洞部２１２は、この連結金具を挿入するためのものである。
【００６０】
図１７は、表示装置１を前面側から見た分解斜視図である。図１８は図１７の拡大図であり、特に前カバー２２の側部を拡大したものである。吸気ファン３１により発生した空気流は、液晶表示パネル１０の前面側方に設けられた開口２０１ａを介して空間２０２に流入することとなる。なお、図１６において空間２０２の上方にある枠状の部材はこの開口２０１ａを示すものである。
【００６１】
上記実施例では、吸気部３０に吸気側蓋体６０が設けられており、排気部５０に排気側蓋体８０が設けられているが、表示装置１の設置状況が許せば(例えば、吸気部３０又は
排気部５０の上に屋根がある場合)、吸気側蓋体６０又は排気側蓋体８０が取り除かれて
もよい。上記実施例では、吸気側も排気側も基本的に同じ構成を用いて異物侵入防止及び防水機能が与えられていることから理解できるように、本発明は、表示装置１の吸気側と排気側の各々に独立に適用できることに留意すべきである。
【００６２】
上記実施例の表示装置は、例えば、映像や各種情報を表示するために屋外に設置され、歩行者に広告宣伝用の映像を見せる目的で屋外に設置される。かかる表示装置は、例えば地面に立設された支柱や建物の外壁に着脱自在に取り付けられるが、自動販売機などの他の装置と組み合わされて屋外に設置されてもよい。
【００６３】
上記説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【符号の説明】
【００６４】
１０  表示パネル
２０  筐体
３０  吸気部
３１ａ、ｂ、ｃ  吸気用ファン
３５ａ  吸気側防塵フィルタ
３５ｂ  吸気側防塵フィルタ
３９  開口
５０  排気部
５１  排気用ファン
５５ａ  排気側防塵フィルタ
５５ｂ  排気側防塵フィルタ
５９  開口
６０  吸気側蓋体
６３  吸気口
６４  フード
６６ａ、ｂ  開口
６７ａ、ｂ  第１シール部材
７０  邪魔板
７２  第１排水口
７４  第２排水口
８０  排気側蓋体
８３  排気口
８４  フード
８６ａ、ｂ  開口
８７ａ、ｂ  第３シール部材
９０  邪魔板
９２  第１排水口
９４  第２排水口
１０１ 第２シール部材
１０２ 第４シール部材
【図１】
2013218185.tif 000003
【図２】
2013218185.tif 000004
【図３】
2013218185.tif 000005
【図４】
2013218185.tif 000006
【図５】
2013218185.tif 000007
【図６】
2013218185.tif 000008
【図７】
2013218185.tif 000009
【図８】
2013218185.tif 000010
【図９】
2013218185.tif 000011
【図１０】
2013218185.tif 000012
【図１１】
2013218185.tif 000013
【図１２】
2013218185.tif 000014
【図１３】
2013218185.tif 000015
【図１４】
2013218185.tif 000016
【図１５】
2013218185.tif 000017
【図１６】
2013218185.tif 000018
【図１７】
2013218185.tif 000019
【図１８】
2013218185.tif 000020